(57)【要約】      （修正有）【課題】多足生物の弱点を突くムカデ撃退のアイデアであるところの、ユニークな形状の一段のコンクリートブロックで万里の長城方式に家屋をぐるり囲み、そのブロックに滑り材のポリチューブを貼着するというものを、万一そのコンクリートブロックの線の近くで転倒したりした場合でも危険がないように改良する。【解決手段】素材をコンクリートからプラスチックに変えて危険を解消すると共に、素材自体が滑り壁１となるようにした。軽量素材としたことに伴い、滑り壁本体１の内部の空洞２の上部を穴３とし、該穴３に鉄棒を差し込むことで強風で吹き飛ばされることがないようにした。また、軽量化したことで、夏場以外の滑り壁を必要としない時期には、全部分解して取り外し、物置などにしまっておくことも可能となり、更に、素材がプラスチックで腐らず、重しとしての鉄棒も空洞２内にあって雨水に濡れて錆びることがなく、毎年繰り返し使えるものとなる。【選択図】図１
2005006648.tif 000002
【特許請求の範囲】
【請求項１】
４枚の断面図が示すようにムカデ撃退用のつなぎ式滑り壁本体（１）に挟まれた内部（２）が空洞になっていることを特徴とするムカデ撃退用のつなぎ式滑り壁
【発明の詳細な説明】
【発明の詳細な説明】
【技術分野】
【０００１】  本発明は多足生物の大きな弱点を突いた本格的なムカデ撃退のアイデアに関するものである。
【従来の技術および発明が解決しようとする課題】
【０００２】  夏場になれば不気味な多足で夜な夜な這いまわる恐ろしいムカデの出現（家屋内への侵入）はこれ迄全くそれを防ぐ方法が無く、山野の近くに住む人々はこれ迄毎年夏場が訪れる度に恐ろしいムカデの出現に家屋内で絶えず怯えながら、夜毎その安眠迄も妨害されながら暮らしてきた。
【０００３】全く無防備の就寝中恐ろしいムカデに顔や頭を這われてその感触で目を覚まし、恐怖で全身がひきつった体験を持つ人も決して少なくないはずである。頭上（天井）から突然大ムカデが落ちてきたり、背後から音も無く這い寄ってきたムカデに背中を這いあがられたり……という具合で山野の近くに住む人々は毎年夏場が訪れる度にそんなムカデの恐怖で絶えず寿命が縮む思いで暮らしてきた。（最悪の場合はそんなムカデに噛みつかれることにも……）夜行性のそんなムカデがどんなに恐ろしくても、不気味なその姿態を目にするのがどんなに嫌であってもそのムカデの侵入を防止する方法が無い以上、人々はその恐怖の中で諦めて暮らすしかなかったのである。
【０００４】「ムカデが怖くて夏場は一晩中屋内の明かりを消すこともできない……」という山野の近くに住む人々の声はどこに行っても聞かされた。「大ムカデに噛みつかれてしばらく病院に入院していたこともある……」というお年寄りの声も耳にした。何時どこから音も無く這い寄って来るかもしれない夜行性のそんなムカデに恐怖を覚えない人はいないだろう。若者が住みなれた田舎をすて、都会になびきたがるのも毎年夏場になれば絶えずつきまとうそうした悩み（夜毎の恐怖）も一因となっているのではないだろうか…。
【０００５】絶えずつきまとうムカデの恐怖で夜毎熟睡ができず寝不足のまま昼間車を運転中、つい居眠りが出て重大な交通事故を引き起こさない――とどうして言えるでしょう。それを考えると車時代・スピード時代の屋内のこのムカデの恐怖は「人命」にも大きくかかわっていることにもなる。
【０００６】これ迄そんな不気味な“多足の芸当”の裏側に隠れていたムカデの大きな“弱点”を発見した私は一人ユニークなその研究に取り組み、ムカデの侵入をその“水ぎわ”で残らず撃退してしまう簡単でその効果抜群――という本格的なムカデ撃退のアイデアを発明した。そのアイデアは現在特許出願中（平成１２年特許願第１７６０９３号）であるが、本発明は先のその発明の素材をコンクリートからプラスチックにしたアイデアである。
【０００７】現在特許出願中の先のその発明はユニークな形状の一段のコンクリートブロックで家屋を万里の長城方式にぐるり囲み、そのブロックのぐるりの線に滑り材（ポリチューブ）を貼着する――というアイデアであった。ユニークな形状のコンクリートブロックをプラスチックにした場合、プラスチックそのものがムカデを滑り落とす強力な滑り材となり、先細りのその形状がコンクリートブロックの役目も同時に果たしてくれることにもなるので、このアイデアの場合、滑り材（ポリチューブ）も一段のコンクリートブロックも不要なものとなる。
（滑り材をブロックの壁面にいちいち貼ったりはがしたり……という面倒もこのアイデアの場合全て省かれることにもなるのである。）
【０００８】本発明を図面について説明すると次の通りである。図１、図２、図３、図４は何れも本発明のムカデ撃退用のつなぎ式滑り壁（１）の断面図である。このつなぎ式滑り壁（１）は“プラスチック”としているが必ずしもプラスチックに限らない。滑り壁となるものなら何でもよいのである。この滑り壁（１）の内部（２）は全てトンネル状の空洞になっている。
【０００９】それに、添付した断面図ではその構造を解り易くする為にこのプラスチックの滑り壁（１）をやたらに厚く書いているが実際には（実物は）図示するような厚いものではない。プラスチックは薄くても頑丈――という大きな特徴を持っているので、この断面図で示すようにその滑り壁（１）を厚くする必要もないのである。
【００１０】ムカデ撃退用のこのつなぎ式滑り壁（１）の高さであるが、最低でもその地方に生息する大ムカデの体長より３ｃｍ以上は高くしておく必要がある。長さの方はその一個の長さが普通のコンクリートブロックの３、４個分以上あった方がよいと思う。長ければ長い程よいと思う。長ければ長い程そのつなぎ目が少なく済むからである。
【００１１】プラスチックのこのつなぎ式滑り壁（１）を横へ横へと並べてつないで行ってこのつなぎ式滑り壁（１）で家屋をぐるり囲む訳である。家屋の角々に使うプラスチックのそれは、先の一段のコンクリートブロックの発明の時と同様、家屋のその部分の形に合わせた形状のものにして家屋をぐるり囲めるようにしなければならないことはもちろんである。今回は断面図だけなのでその形状がピンと来ない場合は、先の発明の出願書類に目をお通し頂ければその形状の全てがお解り頂けると思う。この滑り壁（１）の横腹に水抜き穴をくり抜いた場合はその水抜き穴に目の細かい金アミをはることも忘れてはならないことである。
【００１２】プラスチックのこのつなぎ式滑り壁（１）で家屋をぐるり囲めばムカデはその滑り壁（１）の線の部分から中にもう這い込んで来ることはできないことになる。ムカデの足は滑り壁（１）の表面で滑りに滑って……と言いたいがまだまだそんな効果の発揮できるものではない。プラスチックのこのつなぎ式滑り壁は先の一段のコンクリートブロックのようにそれを家屋の周囲にコンクリートで固定するものではないからである。そんな硬いプラスチックで家屋をぐるり囲んでもそのプラスチックの下はスキ間だらけとなってしまう。ムカデはそんなスキ間からこれ迄通り屋内にゾロゾロ這い込んで来ることに変わりはないからである。
【００１３】そこで本発明はこのプラスチックの下にスポンジを敷くことにした。（家屋の周囲の地面はだいたいどこの家でも平坦になっているので、このプラスチックの下に敷くスポンジのそれは薄くて細幅のもので十分にその役目を果たしてくれることになる。）しかし、プラスチックの下にスポンジを敷いただけではとても十分とは言えないだろう。プラスチックは重いコンクリートブロックと違い、あまりにも軽過ぎるからである。その下にスポンジを敷いてもフワフワしてそのプラスチックの座りもよくないだろう。（ムカデを撃退する“滑り壁”とはならない。）
【００１４】しかもそのプラスチックの内部（２）は全てトンネル状の空洞になっている。そんな軽いプラスチックで家屋をぐるり囲んでもちょっと強い風でも吹けば下に敷いたスポンジもろともたちまちどこかに吹き飛ばされてしまうことになるだろう。
【００１５】そこで本発明はプラスチック（１）内部（２）の空洞内の穴（３）に鉄棒を差し込むアイデアをプラスすることにした。（住宅建築の基礎工事の現場等でよく使われている細くて長い鉄棒である。）鉄棒一本の重みで足らない……と思えば２本…３本…とその穴（３）に鉄棒を差し込めばよい訳である。
【００１６】このつなぎ式滑り壁（１）の下にスポンジを敷いてその内部（２）の空洞の穴（３）に鉄棒を差し込んでおけば、そのプラスチックの下にできるスキ間というスキ間は全て押しつぶされて消えてなくなることになる。そのぐるりの線がつなぎ合ってずっしりと重いものにもなるので強風でそれが吹き飛ばされることもなくなる訳である。この方法で家屋をぐるり囲んでおけばムカデの這い込むスキ間は全くどこにも残らない。人間が普通なら深い眠りに入る真夜中でもこの「ムカデ撃退用のつなぎ式滑り壁」は一日２４時間一秒も休むことなく人家に這い寄って来るムカデというムカデは一匹残らず撃退しつづけてくれることになる。従って恐ろしいムカデが夜な夜な這いまわる夏場でも家の中では恐ろしいムカデのことなどいっさい忘れて安心して暮らせることになる――という訳である。
【００１７】先のページでも説明したようにユニークな形状の一段のコンクリートブロックで家屋をぐるり囲み、そのブロックのぐるりの線に滑り材（ポリチューブ）を貼着する――という方法もあるにはある。先のその発明もムカデというムカデ（触れれば臭いあの嫌なヤスデを含む）はいっさい寄せつけないその「効果」の面から見れば本発明と並んで本格的なものである。しかし万一のことを考えると（家屋の周りのそのブロック線の近くで転倒したりした場合のことを考えると）コンクリートの線では危険がつきまとわないこともない。その線をコンクリートから弾力のあるプラスチックにした場合そんな危険は解消される。それに、一度家屋の周囲にコンクリートブロックの線を築けば半永久的にその線は動かせない――というものでは家屋によってはその線が邪魔にならないこともないだろう。（特にムカデのいない冬場などは絶えずその線が目障りになるのではないだろうか…）
【００１８】本発明の場合夏場が終わって恐ろしいムカデが居なくなれば家屋を囲むプラスチックのこの線は全部分解して取り外し物置などにしまっておくこともできる。次の年の夏場になれば又それを取り出して同じ方法でつないで使用する――という訳である。（プラスチックは永久に腐ることがないようなので、こんな方法で毎年それを使えるものになるはずである。）コンクリートブロックのようにムカデのいない冬場家屋を囲むその線が邪魔になることも目障りになることもない――という訳である。
【００１９】それからこのつなぎ式滑り壁（１）のそのつなぐ方法があるがつなぐ方法はいろいろある。つなぐその方法は滑り壁（１）のその形状によっても違って来るだろう。上からその先端部分をかぶせて次々につないでいく方法もあれば、滑り壁（１）の空洞（２）に一方の端を次々に差し込んでつないで行く方法もある。上からかぶせて隠れる部分（重なって下になる部分）をやや細めに、上になる一方のその先端部分をやや太めにしておけば、重なる部分も全て同じ大きさとなり美しい線となるだろう。
【００２０】上からもかぶせず空洞にも差し込まずにそれをつなぐ方法もある。それは滑り壁（１）と滑り壁（１）のつなぎ目に滑り材（ポリチューブ）を貼着する――という方法である。滑り壁のタテの線となる浅いひっかかりはムカデの誇る“多足の芸当”の足場とはならない。（タテの浅いひっかかりがあってもムカデは滑りに滑って滑り壁（１）のそれを這いあがれない）が万一のことを考えてそのつなぎ目となる部分にポリチューブを貼着しておく――という方法である。
【００２１】このつなぎ式滑り壁（１）の素材がやや厚目でつなぎ目にできるひっかかりがやや深くなるような場合でもそのつなぎ目のひっかかりが全て“下向き”になるように斜めの線（形状）にしておけば、ムカデは絶対に下向きのひっかかりを這いあがることはできない。下向きのひっかかりはムカデの誇る“多足の芸当”の足場とはならない。
【００２２】図３、図４で示すようなムカデ撃退用のつなぎ式滑り壁（１）の場合もある。図４のように、滑り壁（１）の先端が地を這うような形で外側にはみ出している形状の場合は滑り壁（１）を上から次々にかぶせてつないでいく方法がいちばんぴったり合っていると思う。そして地を這って重なるその部分にキリで穴をあけ、大クギを地面に打ちつけておく方法もある。この方法を用いた場合、つなぎ式滑り壁（１）はそれで完全に固定されることになるので、その滑り壁（１）内部に鉄棒を差し込む必要は無くなる。
【００２３】又、この滑り壁（１）内部の鉄棒を差し込む穴（３）であるが、この穴（３）は滑り壁（１）内部（２）空洞の所々に点々とあるだけでも十分にその役目を果たしてくれることになるが、「金太郎飴」のようにこの滑り壁（１）のどの部分を切断しても同じこの形状をしていてもよい訳である。
【００２４】本発明のつなぎ式滑り壁（１）の素材ができるだけ少なく済むように４枚の断面図は何れも先細りに書いているが、このつなぎ式滑り壁（１）は必ずしも先細りになっている必要はない。トンネルの入り口（出口）の形のように上の部分が丸くなっていて全体が上から下迄同幅になっていてもよい訳である。それに、片方を凸型にして、もう一方を凹型にして容器のフタをするような形でつなぎ合わせる方法もある。
【００２５】鉄棒を差し込む穴（３）のないこのつなぎ式滑り壁（１）の場合（図２、図３、図４の場合）各自で、これを使用する各家庭でこの鉄棒を差し込む穴（３）を取り付けるようにしなければならない。今は優れた接着剤も市販されており各家庭でこの鉄棒を差し込む穴（３）はきわめて容易に取り付けられるはずである。例えば図１で示すそのままに滑り壁（１）の内部の空洞（２）を上下二つに仕切る形でつっかい棒を入れてそれをくっつける方法、又は適当な太さのビニール管をノコギリで１ｃｍ程の長さにどんどん切断してそのワッカの一つ一つを滑り壁（１）のてっぺん部分（４）の内側に点々とくっつければそれだけで鉄棒を差し込む穴は空洞内にりっぱに出来上がることになる。（それは子供にでも出来る簡単なことである。）
【００２６】鉄棒を差し込む穴（３）をこのように滑り壁（１）内部（２）の一段高い所に取り付けたのは他でもない。重しとなる中の鉄棒が雨水に濡れることになれば、たちまちその鉄棒は目も当てられない程に錆びて腐ることになるからである。
【００２７】ムカデ撃退用のこのつなぎ式滑り壁（１）は当然屋外で使用するものであるが、中の鉄棒だけは雨水に濡れないように本発明のつなぎ式滑り壁（１）内部（２）の空洞の一段高い所の穴（３）に固定されて雨水に濡れないようにしっかり守られている――という訳である。（このつなぎ式滑り壁（１）の壁面に“水抜き穴”をあける必要のあるような場合でも、その“水抜き穴”は鉄棒を差し込むその穴（３）よりも当然低い部分にあけるようにしなければならないことはもちろんである。）本発明のこのつなぎ式滑り壁（１）の内部（２）の空洞の中に雨水は、その上からは全く入らないようになっている――という訳である。
【発明の効果】
【００２８】毎年夏場になれば山野の近くに住む人々に絶えずつきまとっていた“地獄”のようなムカデの恐怖いっぱいのこれ迄の暮らしから、夏場でもその恐怖の全く無い夢のような「天国」の暮らしにこの発明で一変させることができる。夜毎ムカデののさばる夏場でも人々はムカデの恐怖からは解放されて夜毎安眠できるようにもなるだろう。したがってこの発明によって田舎暮らしの“株”が全国的にはねあがることにもなるだろう。「コンクリートジャングルの都会の生活を捨てて美しい自然がいっぱい、みどりいっぱいの田舎に移り住みたい……」という人たちもこれから急増することにもなるのではないだろうか……。ということは山村の過疎化にも天からブレーキがかかる――ということではないだろうか？…
屋内でのムカデの恐怖が解消されれば屋内のムダなあかりを一晩中つけておく必要もなくなり全国規模で見れば電力の節約にもこれから大きくつながって行くことにもなるのではないだろうか。
【図面の簡単な説明】
【図１】本発明の断面図  １
【図２】本発明の断面図  ２
【図３】本発明の断面図  ３
【図４】本発明の断面図  ４
【符号の説明】
１．本発明のムカデ撃退用のつなぎ式滑り壁本体
２．つなぎ式滑り壁内部の空洞
３．重しとなる鉄棒を差し込む穴
４．本発明のつなぎ式滑り壁のてっぺん部分
【図１】
2005006648.tif 000003
【図２】
2005006648.tif 000004
【図３】
2005006648.tif 000005
【図４】
2005006648.tif 000006